(57)【要約】【課題】単側波帯域（Ｓｉｎｇｌｅ  ＳｉｄｅＢａｎｄ）のコマンド信号を無線識別タグ（ＲＦ−ＩＤ  Ｔａｇ）に送出した後、単側波帯域の周波数帯域をシフトさせて無線識別タグから周波数帯域がシフトされた両側波帯域の応答信号を受信するようにする、無線識別タグの単側波帯域の応答方法を提案する。【解決手段】単側波帯域のコマンド信号を無線識別タグ(ＲＦ−ＩＤ Tag)に送出してから、単側波帯域の周波数帯域をシフトさせ、無線識別タグから周波数帯域がシフトされた両側波帯域の応答信号を受信する。【選択図】図２Ｂ
2007151132.tif 000002
【特許請求の範囲】
【請求項１】
(a)単側波帯域(Single Side Band)のコマンド信号を無線識別タグ(ＲＦ−ＩＤ Tag)に送出するステップと、
(b)前記単側波帯域の周波数帯域をシフトさせるステップと、
(c)前記無線識別タグから周波数帯域がシフトされた両側波帯域の応答信号を受信するステップと、
を含むことを特徴とする無線識別タグの単側波帯域応答方法。
【請求項２】
前記(a)ステップにおいて、前記単側波帯域のコマンド信号はキャリア周波数を基準にして上位周波数帯域に４０ＫＨｚ + αだけ離れていることを特徴とする請求項１に記載の無線識別タグの単側波帯域応答方法。
【請求項３】
前記単側波帯域のコマンド信号が、送信マスク２００ＫＨｚ内の周波数帯域を有することを特徴とする請求項１に記載の無線識別タグの単側波帯域応答方法。
【請求項４】
前記単側波帯域のコマンド信号が、送信マスク２００ＫＨｚ内の周波数帯域を有することを特徴とする請求項２に記載の無線識別タグの単側波帯域応答方法。
【請求項５】
前記単側波帯域のコマンド信号が、送信マスク２００ＫＨｚ内で元の両側波帯(ＤＳＢ)信号にて下位周波数帯域に一定の周波数帯域だけシフトされた信号であることを特徴とする請求項１に記載の無線識別タグの単側波帯域応答方法。
【請求項６】
前記単側波帯域のコマンド信号が、送信マスク２００ＫＨｚ内で元の両側波帯(ＤＳＢ) 信号にて下位周波数帯域に一定の周波数帯域だけシフトされた信号であることを特徴とする請求項２に記載の無線識別タグの単側波帯域応答方法。
【請求項７】
前記(b)ステップにおいて、使用する周波数帯域に対して上位周波数帯域に一定の周波数帯域だけシフトさせることを特徴とする請求項１に記載の無線識別タグの単側波帯域応答方法。
【請求項８】
前記(c)ステップにおいて、前記両側波帯域の応答信号はキャリア周波数を基準にして上位周波数帯域に４０ＫＨｚだけ離れており、下位周波数帯域に４０ＫＨｚだけ離れた応答信号であることを特徴とする請求項１に記載の無線識別タグの単側波帯域応答方法。
【請求項９】
ＲＦＩＤ(Radio Frequency Identification) タグに伝送された信号が存在すればパルス幅リストを記録し、前記ＲＦＩＤタグから受信された応答信号が存在すれば前記応答信号に対応される可用パルス幅リストを作成するリスト作成部と、
前記ＲＦＩＤタグから受信された信号を解釈及びコマンド信号を生成し、単側波帯域の周波数帯域を利用して生成された前記コマンド信号を前記ＲＦＩＤタグに伝送し、前記ＲＦＩＤタグに前記コマンド信号を伝送してから前記周波数帯域をシフトする制御部と、
前記ＲＦＩＤタグから応答信号を受信し、前記ＲＦＩＤタグに前記コマンド信号を伝送する送受信部と、
を含むことを特徴とするＲＦＩＤリーダー。
【請求項１０】
前記周波数帯域をシフトするためのシフト命令に応じて前記周波数帯域をシフトし、前記送受信部にシフトされた周波数帯域を伝送するＲＦ(Radio Frequency) 回路と、
前記制御部から生成されたコマンド信号をフィルタリングし、前記コマンド信号を前記ＲＦ回路に伝送する伝送フィルターと、
前記ＲＦＩＤタグから受信された応答信号をフィルタリングし、前記応答信号を前記制御部に伝送する受信フィルターと、
前記リスト作成部によって作成された前記パルス幅リスト及び前記可用パルス幅リストのうち少なくとも１つを保存する保存部と、
を更に含むことを特徴とする請求項９に記載のＲＦＩＤリーダー。
【請求項１１】
前記単側波帯域のコマンド信号がキャリア周波数を基準にして上位周波数帯域に４０ＫＨｚ+αだけ離れており、前記αは整数であることを特徴とする請求項９に記載のＲＦＩＤリーダー。
【請求項１２】
前記単側波帯域のコマンド信号が、送信マスク２００ＫＨｚ内の周波数帯域を有することを特徴とする請求項１１に記載のＲＦＩＤリーダー。
【請求項１３】
前記単側波帯域のコマンド信号が、送信マスク２００ＫＨｚ内で元の両側波帯(ＤＳＢ) 信号にて下位周波数帯域に一定の周波数帯域だけシフトされた信号であることを特徴とする請求項１１に記載のＲＦＩＤリーダー。
【請求項１４】
前記制御部が、使用する周波数帯域に対して上位周波数帯域に一定の周波数帯域だけシフトさせることを特徴とする請求項９に記載のＲＦＩＤリーダー。
【請求項１５】
前記両側波帯域の応答信号が、キャリア周波数を基準にして上位周波数帯域に４０ＫＨｚだけ離れており、下位周波数帯域に４０ＫＨｚだけ離れた応答信号であることを特徴とする請求項９に記載のＲＦＩＤリーダー。
【発明の詳細な説明】
【技術分野】
【０００１】
本発明は無線識別タグの単側波帯域応答方法に関し、詳細には単側波帯域(Single Side Band)のコマンド信号を無線識別タグ(ＲＦ−ＩＤ Tag)に送出した後、単側波帯域の周波数帯域をシフトさせて無線識別タグから周波数帯域がシフトされた両側波帯域の応答信号を受信するようにした無線識別タグの単側波帯域応答方法に関する。
【背景技術】
【０００２】
最近、無線識別システムにおいて多重読取り器(Multi-Reader)を用いる環境で、読取り器間に干渉を与えないよう、使用周波数をチャネル数だけ分離して使う技術基準及び標準が設けられている。
韓国の場合、周波数帯域を９０８.５〜９１４ＭＨｚで使う場合、各チャネルについて１チャネル当たりの帯域幅(Band Width)を２００ＫＨｚに調整すると２７個のチャネル使用が可能になる。
【０００３】
このような帯域幅を有するチャネルを利用する時、読取り器は他のチャネルに干渉を与えないようにするために、伝送するデータについて送信マスク(Transmit Mask)を行なう。すなわち、中間周波数を基準にして、０チャネルでは０ｄＢチャネル、第１チャネル(ＣＨ１)と第１逆チャネル(ＣＨ−１)では−２０ｄＢチャネル、第２チャネル(ＣＨ２)と第２逆チャネル(ＣＨ−２)では−５０ｄＢチャネルに送信マスクを行なう。また、第３チャネル(ＣＨ３)と第３逆チャネル(ＣＨ-３)では−６０ｄＢチャネル、第４チャネル(ＣＨ４)と第４逆チャネル(ＣＨ−４)では−６５ｄＢチャネルに送信マスクを行う。このような過程で他の伝送チャネルに対しても送信マスクが行なわれる。
【０００４】
また、読取り器は他のチャネルに干渉を与えないために、受信するデータについては次の表１に示したチャネル選択度(Ｃｈａｎｎｅｌ Ｓｅｌｅｃｔｉｖｉｔｙ)によりデータを受信する。
【０００５】
【表１】
2007151132.tif 000003
ＵＨＦ帯域におけるＲＦ−ＩＤ読取り器は、周波数領域に対して数多いチャネルを使用し、そのうち希望する周波数帯域(Ｃｈａｎｎｅｌ)を選択し、両側波帯(ＤＳＢ:Double Side Band)ＡＳＫまたは単側波帯(ＳＳＢ:Single Side Band)ＡＳＫを使ってＲＦ−ＩＤタグとの通信を行なう。
【０００６】
図１Ａは、従来の読取り器がＤＳＢを使用する場合のコマンド信号と応答信号の周波数スペクトルを示した図面である。
図１Ａにおいて、(a)は読取り器がＲＦ−ＩＤタグに伝送するコマンド信号の周波数スペクトルを示し、(b)はＲＦ−ＩＤタグが読取り器に伝送する応答信号の周波数スペクトルを示している。
【０００７】
ＵＨＦ ＲＦＩＤ標準において、読取り器とＲＦ−ＩＤタグとの間のリンク周波数は、図１Ａの(a)および(b)に図示されたように、キャリア周波数(CF)を基準にして４０ＫＨｚであり、それ以上になると韓国規格の送信マスクである２００ＫＨｚを保たれ難くなる。
また、ＲＦ−ＩＤタグの応答信号もキャリア周波数(CF)を基準にして±４０ＫＨｚだけ離れて現われる。これにより、キャリア周波数（CF）から４０ＫＨｚ以上離れると、隣接チャネルで応答信号が受信できるようになり、チャネル選択度に違背することとなる。
【０００８】
一方、読取り器は、ＤＳＢを使用する場合よりもコマンド信号の伝送率を高めるために、図１Ｂに図示されたように、単側波帯(ＳＳＢ)を使う。図１Ｂにおいて、(a)は単側波帯におけるコマンド信号の周波数スペクトルを示し、(b)は単側波帯コマンド信号に対する両側波帯応答信号の周波数スペクトルを示している。
図１Ｂの(a)に図示されたように、読取り器が単側波帯(ＳＳＢ)を使用する場合、キャリア周波数(CF')に対して送信マスクである２００ＫＨｚ内で４０ＫＨｚ + αだけの周波数帯域を使用できるようになる。
【０００９】
しかし、このような単側波帯(ＳＳＢ)コマンド信号に対してＲＦ−ＩＤタグは、図１Ｂの(b)に図示したような両側波帯(ＤＳＢ)の応答信号を読取り器に伝送する。
したがって、両側波帯(ＤＳＢ)の応答信号は、図１Ｂの(b)に図示したように、キャリア周波数(CF')を基準にして±４０ＫＨｚだけ離れていることから、隣接チャネルにて応答信号CF'−４０ＫＨｚを認識してしまい、チャネル選択度に違背するという問題がある。
【特許文献１】米国特許出願公開第２００５−００５２２７９号明細書
【特許文献２】米国特許出願公開第２００５−０１２４３７５号明細書
【特許文献３】米国特許出願公開第２００５−００９９２７０号明細書
【発明の開示】
【発明が解決しようとする課題】
【００１０】
前述した問題点を解決するために本発明の目的は、単側波帯域(ＳＳＢ)のコマンド信号を無線識別タグ(ＲＦ−ＩＤ Tag)に送出した後、単側波帯域の周波数帯域をシフトさせ、無線識別タグから周波数帯域のシフトされた両側波帯域の応答信号を受信する、という無線識別タグの単側波帯域応答方法を提供することにある。
【課題を解決するための手段】
【００１１】
前述した目的を達成するための本発明に係る無線識別タグの単側波帯域の応答方法は、(a)単側波帯域(Single Side Band)のコマンド信号を無線識別タグ(ＲＦ−ＩＤ Tag)に送出するステップと、(b)前記単側波帯域の周波数帯域をシフトさせるステップと、(c)前記無線識別タグから周波数帯域がシフトされた両側波帯域の応答信号を受信するステップとを含むことを特徴とする。
【００１２】
前記(a)ステップにおいて、前記単側波帯域のコマンド信号はキャリア周波数を基準にして上位周波数帯域に４０ＫＨｚ + αだけ離れていることを特徴とする。
前記単側波帯域のコマンド信号が、送信マスク２００ＫＨｚ内の周波数帯域を有し、前記単側波帯域のコマンド信号が、送信マスク２００ＫＨｚ内で元の両側波帯(ＤＳＢ)信号にて下位周波数帯域に一定の周波数帯域だけシフトされた信号であることが好ましい。
【００１３】
前記(b)ステップにおいて、使用する周波数帯域に対して上位周波数帯域に一定の周波数帯域だけシフトさせるものであり、前記(c)ステップにおいて、前記両側波帯域の応答信号はキャリア周波数を基準にして上位周波数帯域に４０ＫＨｚだけ離れており、下位周波数帯域に４０ＫＨｚだけ離れている応答信号であることを特徴とする。
【発明の効果】
【００１４】
本発明によると、読取り器が単側波帯（ＳＳＢ）周波数帯域を使用しても、ＲＦ―ＩＤタグから隣接チャネルに干渉を与えない安定的な両側波帯（ＤＳＢ）の応答信号を受信することができる。さらに、チャネル選択度に違背しない無線識別システムが実現できる。
【発明を実施するための最良の形態】
【００１５】
以下、添付の図面に基づいて本発明の好適な実施形態を詳述する。
まず、各図面の構成要素に参照符号を付け加えることにおいて、同じ構成要素に対しては、他の図面上に表示されても同一符号で示している。
また、本発明の説明において、係わる公知構成または機能に対する具体的な説明が本発明の要旨を妨げる場合その詳細な説明は略する。
【００１６】
本発明に対する説明の理解のために無線識別タグシステムに対して説明する。
ＲＦ−ＩＤタグは、商品数の把握、トールゲート通行料の支払いと係わる自動選別装置、セキュリティシステム、電子カードなどに使用される。また、ＲＦ−ＩＤタグはペイント、水、ごみ、塵埃、人体、コンクリートあるいは、タグされた品物そのものを介して読取られることから、バーコード(Bar code)ラベルよりもはるかに劣悪な環境でも使用可能である。ＲＦ−ＩＤタグは高周波タグ読取り器(Reader)と結合されて使用される。高周波タグ読取り器は、近接した範囲でＲＦ−ＩＤタグを動作させる連続波形(ＣＷ: Continuous Wave)の高周波(RF: Radio Frequency) キャリアを生成する。ＲＦ−ＩＤタグは受動素子であり、その内部に電源を有しない。従って、ＲＦ−ＩＤタグは内部に保存されたデジタルコードを読取る内部回路を動作させるために、高周波タグ読取り器から送信される連続波形高周波(ＣＷＲＦ: Continuous Wave Radio Frequency)を電源として利用する。このようなＲＦ−ＩＤタグの動作により、その内部に保存されたデジタルコードがタグ読取り器に無線信号で伝送されることとなる。
【００１７】
ＲＦ−ＩＤタグは、連続波形(ＣＷ)に同調した同調回路をロードあるいはアンロードすることにより、読取り器の連続波形(ＣＷ)キャリアの振幅変化を行なう。例えば、ＲＦ−ＩＤタグは、連続波形高周波キャリアの周波数に同調する並列共振回路と高周波アンテナから構成され、さらに、高周波を直流に切替えるＤＣコンバーター(DC Converter)、並列共振回路と高周波アンテナをロード及びアンロードするための回路、内部デジタルコードを保存して読取るためのロジック回路を含む。そしてＲＦ−ＩＤタグは、並列共振回路と高周波アンテナをロード及びアンロードするための回路が内部に保存されたデジタルコードを動作させる。
【００１８】
ＲＦ−ＩＤタグは、ロジック回路とセンサーに供給する電源として直流が使用されることから、連続波形高周波と超高周波(ＵＨＦ)/マイクロ波のような交流を直流に切替えるための回路がその内部に設けられている。
ＲＦ−ＩＤタグがタグ読取り器に近接すると、ＲＦ−ＩＤタグが同調回路に負荷をかけ、同調回路の電圧振幅が減少する。もしＲＦ−ＩＤタグの同調回路が、その内部回路によって共振状態でなくなった場合、ＲＦ−ＩＤタグは同調回路に負荷をかけずに、それ以前にＲＦ−ＩＤタグがタグ読み取り器に近接した時に発生した振幅状態に至るまで、同調回路の電圧振幅を再度増加させる。これによって、ＲＦ−ＩＤタグはオン/オフパルス信号を乗せた直列データワードビットストリームの情報を伝送するため同調回路の振幅を変化させる。タグ読取り器は、かかる連続波形高周波の振幅変化を検知してＲＦ−ＩＤタグからの情報を直列データワードビットストリームにて利用されるオン/オフ信号に切替える。
【００１９】
図２Ａ、図２Ｂは本発明の実施形態に係る無線識別タグの単側波帯域応答方法に対する基本的な概念を説明するための周波数スペクトルを示した図面である。
図２Ａは、読取り器がＲＦ−ＩＤタグに伝送するコマンド信号の周波数スペクトルを示し、図２Ｂは、ＲＦ−ＩＤタグが読取り器に伝送する応答信号の周波数スペクトルを示す。
【００２０】
本発明では、読取り器が送信マスクである２００ＫＨｚ内で、図２Ａに示したような単側波帯(ＳＳＢ) コマンド信号を伝送し、引き続き使用周波数帯域を図２Ｂのようにシフトして、両側波帯(ＤＳＢ) である応答信号すべてが使用周波数帯域内に存在するようにする。従って、両側波帯(ＤＳＢ) 応答信号が使用周波数帯域内に存在することから他のチャネルに干渉を与えずに済む。
【００２１】
図２Ａに示すように、読取り器がＲＦ−ＩＤタグに伝送する単側波帯(ＳＳＢ) コマンド信号はキャリア周波数(CF')を基準にして４０ＫＨｚ+αだけ離れている。ここで、αは整数である。また、読取り器がＲＦ−ＩＤタグから受信する応答信号はキャリア周波数(CF)を基準にして±４０ＫＨｚだけ離れている。
図３は本発明の実施形態に係る読取り器の構成を概略的に示した構成図である。
【００２２】
本発明に適用される読取り器は、リスト作成部３１０、保存部３２０、制御部３３０、伝送フィルター３４０、受信フィルター３５０、ＲＦ回路３６０及び送/受信部３７０を含んでいる。
リスト作成部３１０は、ＲＦ−ＩＤタグに信号を伝送する際のパルス幅に関するリストであるパルス幅リストを作成し、ＲＦ−ＩＤタグから応答信号がある場合に該当の応答信号に対応するパルス幅を可用パルス幅にして可用パルス幅リストを作成する。
【００２３】
保存部３２０は、リスト作成部３１０で作成したパルス幅リスト及び/または可用パルス幅リストを保存する。
制御部３３０は、ＲＦ−ＩＤタグから受信した信号を解釈し、これによってＲＦ−ＩＤタグに所定のコマンド信号を生成し伝送する。この時、制御部３３０は、ＲＦ−ＩＤタグにコマンド信号を伝送する時に、単側波帯(ＳＳＢ)周波数帯域を利用することができる。そして、制御部３３０は、コマンド信号をＲＦ−ＩＤタグに伝送した後、すぐ使用周波数帯域を図２Ｂに示すようにシフトさせて、ＲＦ−ＩＤタグから受信する両側波帯(ＤＳＢ)による応答信号すべてが使用周波数帯域内で受信できるようにする。
【００２４】
伝送フィルター３４０は、制御部３３０から生成されたコマンド信号をフィルタリングしてＲＦ回路１６０に伝達し、受信フィルター３４０はＲＦ−ＩＤタグから受信した応答信号をフィルタリングして制御部３３０に伝達する。
ＲＦ回路３６０は、周波数混合器として機能し、制御部３３０からの使用周波数帯域に対するシフト命令に応じて、使用周波数帯域を図２Ｂに示したようにシフトさせ送/受信部３７０に伝達する。
【００２５】
送/受信部３７０は、ＲＦ−ＩＤタグからの応答信号を受信してＲＦ回路３６０に伝達し、また制御部３６０からのコマンド信号をＲＦ−ＩＤタグに伝送する。
図４は本発明の実施形態に係る無線識別タグの単側波帯域の応答方法において、読取り器のコマンド信号とＲＦ−ＩＤタグの応答信号を示した図面である。
まず、読取り器は、リスト作成部３１０を介して通信環境に応じて段階別に伝送すべきコマンド信号のパルス幅リストを作成する。
【００２６】
なお、パルス幅リストは、基本値(Default Value)から所定間隔により決定するものであって、この所定間隔は閾値信号パルス幅(Critical Signal Pulse Width)の誤差許容範囲である。また、この場合に作成されるパルス幅リスト上のパルス幅の個数はＮ個であり、作成されたパルス幅リストは保存部３２０に保存される。
読取り器は、使用周波数帯域を単側波(ＳＳＢ)帯域にして連続波(ＣＷ:Continuous Wave)をＲＦ−ＩＤタグに伝送する(Ｓ４１０)。なお、連続波はＲＦ−ＩＤタグの共振回路が連続波(ＣＷ)に同調するようにして、ＲＦ−ＩＤタグの同調回路をロードあるいはアンロードするために利用される。
【００２７】
それから、読取り器は単側波帯(ＳＳＢ)コマンド信号をＲＦ−ＩＤタグに伝送する(Ｓ４２０)。
この時、読取り器は韓国規格の送信マスクである２００ＫＨｚ内で、図２Ａに示したように、キャリア周波数(CF')を基準にして上位周波数帯域に４０ＫＨｚ+αだけ離れたコマンド信号(CF'+４０ＫＨｚ+α)をＲＦ−ＩＤタグに伝送する。
【００２８】
ここで、単側波帯(ＳＳＢ)のコマンド信号は、送信マスクである２００ＫＨｚ内で元の両側波帯(ＤＳＢ)信号から下位周波数帯域に一定の周波数帯域だけシフトした信号である。
一方、単側波帯(ＳＳＢ) のコマンド信号を伝送した読取り器はＲＦ−ＩＤタグから、２００ＫＨｚ以内の正常な両側波帯(ＤＳＢ) 応答信号を受信するため、使用する周波数帯域に対して上位周波数帯域に一定の周波数帯域だけシフトさせる(Ｓ４３０)。
【００２９】
これにより、ＲＦ−ＩＤタグでは、読取り器からその前に受信した単側波帯(ＳＳＢ)コマンド信号に対し、上位周波数帯域に一定の周波数帯域だけシフトされた単側波帯(ＳＳＢ) コマンド信号を受信することとなる。
その後、ＲＦ−ＩＤタグでは、受信したコマンド信号について条件が合う場合、後方散乱(Backscattering) 技術に基づいて、応答信号を読取り器に伝送する。この時、読取り器から上位周波数帯域に一定の周波数帯域だけシフトされた単側波帯(ＳＳＢ)のコマンド信号を受信することから、読取り器に伝送する応答信号についても、図２Ｂに示すように、上位周波数帯域に一定の周波数帯域だけシフトした両側波帯(ＤＳＢ)の応答信号を読取り器に伝送する(Ｓ４４０)。
【００３０】
これによって、読取り器では、図２Ｂに示したように、キャリア周波数(CF)を基準にした２００ＫＨｚ内で、上位周波数帯域に４０ＫＨｚだけ離れ、下位周波数帯域に４０ＫＨｚだけ離れた(±４０ＫＨｚ) 応答信号を受信する。読取り器は、ＲＦ−ＩＤタグからの応答信号を受信すると、該当のパルス幅を可用パルス幅で保存部３２０に保存する。
これにより読取り器が単側波帯(ＳＳＢ)コマンド信号をＲＦ−ＩＤタグに伝送しても、読取り器はＲＦ−ＩＤタグからチャネル選択度に違背しないように、かつ隣接チャネルに干渉を与えることなく、安定的に両側波帯(ＤＳＢ)応答信号を受信することができるようになる。
【００３１】
前述したように本発明によると、単側波帯域(ＳＳＢ)のコマンド信号を無線識別タグ(ＲＦ−ＩＤ Tag)に送出した後、単側波帯域の周波数帯域をシフトさせて無線識別タグから周波数帯域がシフトされた両側波帯域の応答信号を受信するという、無線識別タグの単側波帯域応答方法を実現することができる。
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００３２】
【図１Ａ】従来読取り器がＤＳＢを使う場合のコマンド信号と応答信号の周波数スペクトルを示した図面である。
【図１Ｂ】従来のＳＳＢコマンド信号とＤＳＢ応答信号の周波数スペクトルを示した図面である。
【図２Ａ】本発明の実施形態に係る無線識別タグの単側波帯域応答方法に対する基本的な概念を説明するための周波数スペクトルを示した図面である。
【図２Ｂ】本発明の実施形態に係る無線識別タグの単側波帯域応答方法に対する基本的な概念を説明するための周波数スペクトルを示した図面である。
【図３】本発明の実施形態に係る読取り器の構成を概略的に示した構成図である。
【図４】本発明の実施形態に係る無線識別タグの単側波帯域応答方法であって、読取り器のコマンド信号とＲＦ−ＩＤタグの応答信号を示した図面である。
【符号の説明】
【００３３】
３１０      リスト作成部
３２０      保存部
３３０      制御部
３４０      伝送フィルター
３５０      受信フィルター
３６０      ＲＦ回路
３７０      送/受信部
CF、CF'      キャリア周波数
【図１Ａ】
2007151132.tif 000004
【図１Ｂ】
2007151132.tif 000005
【図２Ａ】
2007151132.tif 000006
【図２Ｂ】
2007151132.tif 000007
【図３】
2007151132.tif 000008
【図４】
2007151132.tif 000009